(57)【要約】【課題】入力部への操作に応じた処理の多様性が増しているとともに、ユーザにとっての使い易さが増した電子機器を提供する。【解決手段】鏡装置１（電子機器）が、３つの入力部１５１，１５２，１５３と、制御部１６と、を備えている。３つの入力部１５１，１５２，１５３のうち１つの入力部が操作されてから所定時間ｔ［ｍｓ］が経過しても他の入力部が操作されない場合、制御部１６は、その１つの入力部に対応する照明装置１４の点灯処理等を実行する。また、全ての入力部１５１，１５２，１５３に対し、任意の入力部が操作されてから所定時間ｔ［ｍｓ］以内に他の入力部が操作されるように、連続して操作がなされた場合、制御部１６は、それらの入力部１５１，１５２，１５３及び操作の順序の組合せに対応する可動鏡１３の移動処理を実行する。【選択図】図１
2016170591.tif 000002
【特許請求の範囲】
【請求項１】
複数の入力部と、処理を行う制御部と、を備え、
前記複数の入力部のうち少なくとも１つの入力部が操作されてから所定時間が経過しても他の入力部が操作されない場合、前記制御部は、前記少なくとも１つの入力部の操作に対応する処理を実行し、
前記複数の入力部のうち少なくとも２つの入力部に対し、任意の入力部が操作されてから前記所定時間以内に他の入力部が操作されるように、連続した操作がなされた場合、前記制御部は、前記少なくとも２つの入力部の操作及び当該操作の順序の組合せに対応する処理を行うことを特徴とする電子機器。
【請求項２】
前記複数の入力部が設けられた筐体と、
前記筐体に移動可能に支持される可動部材を備え、
前記処理として、前記可動部材を移動させる移動処理があることを特徴とする請求項１に記載の電子機器。
【請求項３】
前記可動部材は複数の方向に移動可能であり、
前記処理として、前記複数の方向それぞれに前記可動部材を移動させる複数の移動処理があることを特徴とする請求項２に記載の電子機器。
【請求項４】
照明を備え、
前記処理として、前記照明の処理があり、
前記照明の処理には前記複数の入力部のうち少なくとも１つの入力部の操作が対応することを特徴とする請求項１から３の何れかに記載の電子機器。
【請求項５】
前記複数の入力部のそれぞれが、前記筐体の一面から突出して設けられていることを特徴とする請求項１から４の何れかに記載の電子機器。
【請求項６】
前記複数の入力部のそれぞれが、タッチセンサであることを特徴とする請求項１から５の何れかに記載の電子機器。
【請求項７】
前記複数の入力部は、所定距離を空けて配列された２つ以上の入力部を有することを特徴とする請求項１から６の何れかに記載の電子機器。
【請求項８】
前記所定距離が、２［ｃｍ］以内の距離であることを特徴とする請求項７に記載の電子機器。
【請求項９】
前記複数の入力部が、その配列方向について、２０［ｃｍ］以内の範囲に配列されていることを特徴とする請求項１から８の何れかに記載の電子機器。
【発明の詳細な説明】
【技術分野】
【０００１】
本発明は、ユーザによって操作される複数の入力部と、処理を行う制御部とを備えた電子機器に関するものである。
【背景技術】
【０００２】
従来、ユーザによって操作される複数の入力部と、処理を行う制御部とを備えた電子機器が広く利用されている。近年では、入力部としてタッチパネルを利用したものも知られている（例えば、特許文献１参照）。この特許文献１に記載の電子機器は、例えばパスワードの入力等といった秘匿性を求められる操作を行うために、入力部としての操作ボタンのアイコン等をタッチパネルの画面に表示させることなく、入力操作を行う操作モードが用意されている。この操作モードでは、タッチパネルに不可視の操作ボタンが設定され、ユーザには、例えばその不可視の操作ボタンに触れたことを振動等で知覚させるようになっている。
【先行技術文献】
【特許文献】
【０００３】
【特許文献１】特開２０１２−０６３８５２号公報
【発明の概要】
【発明が解決しようとする課題】
【０００４】
ところで、一般的に利用されている電子機器では、各入力部の操作に一対一に処理が対応付けられていることが多い。このような電子機器については、その機能が画一的なものとなりがちになるという問題が、一例として挙げられる。また、このような電子機器では、入力部の操作と処理との間に、直感的に対応関係（関連性）をユーザは連想し難い。上述した特許文献１に記載の電子機器における上記の操作モードでは、操作ボタンが不可視となるので、このような直感的な関連性をユーザは一層連想し難い。このような電子機器については、自分の操作に応じた処理をユーザが直感的に連想し難く、使い難さを感じる場合がある。
【０００５】
そこで、本発明は、上記のような問題点に着目し、入力部への操作に応じた処理の多様性を増すこと、又はユーザにとっての使い易さが増した電子機器を提供することを課題の一例とするものである。
【課題を解決するための手段】
【０００６】
上記課題を解決するために、請求項１に記載の発明は、複数の入力部と、処理を行う制御部と、を備え、前記複数の入力部のうち少なくとも１つの入力部が操作されてから所定時間が経過しても他の入力部が操作されない場合、前記制御部は、前記少なくとも１つの入力部の操作に対応する処理を実行し、前記複数の入力部のうち少なくとも２つの入力部に対し、任意の入力部が操作されてから前記所定時間以内に他の入力部が操作されるように、連続した操作がなされた場合、前記制御部は、前記少なくとも２つの入力部の操作及び当該操作の順序の組合せに対応する処理を行うことを特徴とする電子機器となっている。
【図面の簡単な説明】
【０００７】
【図１】本発明の第１実施例にかかる電子機器としての鏡装置を示す図である。
【図２】図１中の右側の可動鏡を例に挙げて可動鏡の駆動機構を示す図である。
【図３】図２（ａ）に示されている駆動機構を図２（ａ）中の矢印Ｖ１方向から見た図である。
【図４】図２（ａ）に示されている駆動機構を図３中の矢印Ｖ２方向から見た図である。
【図５】図２（ｂ）に示されている駆動機構を図２（ｂ）中の矢印Ｖ２方向から見た図である。
【図６】図１に示されている３つの入力部を示す模式図である。
【図７】３つの入力部が連続して操作されるときの状況を模式的に示す図である。
【図８】３つの入力部のうちの任意の入力部が個別に操作されるときの状況を模式的に示す図である。
【図９】図１及び図６に示されている３つの入力部それぞれの大きさと、相互間の距離との関係を、別例とともに示す模式図である。
【図１０】本発明の第２実施例にかかる電子機器としての鏡装置を示す図である。
【図１１】本発明の第３実施例にかかる電子機器としてのカーナビゲーション装置を示す模式図である。
【発明を実施するための形態】
【０００８】
以下、本発明の一実施形態にかかる電子機器を説明する。本発明の一実施形態にかかる電子機器は、複数の入力部と、処理を行う制御部と、を備え、複数の入力部のうち少なくとも１つの入力部が操作されてから所定時間が経過しても他の入力部が操作されない場合、制御部は、少なくとも１つの入力部の操作に対応する処理を実行し、複数の入力部のうち少なくとも２つの入力部に対し、任意の入力部が操作されてから所定時間以内に他の入力部が操作されるように、連続した操作がなされた場合、制御部は、少なくとも２つの入力部の操作及び操作の順序の組合せに対応する処理を行うことを特徴とする。
【０００９】
この電子機器によれば、少なくとも１つの入力部への操作に応じた処理が行われるだけでなく、少なくとも２つの入力部への連続した操作に応じた処理も行われることとなっている。このように、この電子機器は、入力部への操作に応じた処理の多様性が増したものとなっている。また、少なくとも２つの入力部への連続した操作については、その操作に応じて行われる処理が、それらの入力部及び操作の順序の組合せに対応している。即ち、この電子機器では、操作の順序というユーザの体感を伴った連続した操作に、制御部での処理が対応付けられている。このように体感を伴った操作は記憶に残り易く、その結果として、操作に応じた処理をユーザが直感的に連想し易くなっている。このように、この電子機器は、自分の操作に応じた処理をユーザが直感的に連想し易く、ユーザにとっての使い易さが増したものとなっている。
【００１０】
また、本発明の一実施形態にかかる電子機器は、複数の入力部が設けられた筐体と、筐体に移動可能に支持される可動部材を備え、前記処理として、可動部材を移動させる移動処理があるものとなっている。この電子機器は、入力部への連続操作という比較的動きの大きい操作に、可動部材を移動させる移動処理が対応付けられているので、操作と処理との関連性をユーザが一層直感的に連想し易く好適である。
【００１１】
また、本発明の一実施形態にかかる電子機器は、可動部材が、複数の方向に移動可能であり、処理として、複数の方向それぞれに可動部材を移動させる複数の移動処理があるものとなっている。即ち、この電子機器では、入力部の操作の順序という、可動部材の移動方向を連想させ易い動作が、可動部材をその方向に移動させる移動処理に対応付けられている。このように、この電子機器は、可動部材の移動処理について、操作と処理との関連性をユーザが一層直感的に連想し易く好適である。
【００１２】
また、本発明の一実施形態にかかる電子機器は、照明を備え、処理として、例えば照明の点灯／消灯処理、照明色の変更処理、及び照明の光量変更処理など、の照明の処理があり、照明の処理には複数の入力部のうち少なくとも１つの入力部の操作が対応するものとなっている。照明の点灯／消灯処理、照明色の変更処理、及び照明の光量変更処理などの照明の処理という、構造物の移動を伴わず、上述した連続操作とは結び付き難い処理が、少なくとも１つの入力部の操作に対応付けられている。このように、この電子機器は、操作と処理との対応について適正化が図られているので好適である。
【００１３】
また、本発明の一実施形態にかかる電子機器は、前記複数の入力部のそれぞれが、前記筐体の一面から突出して設けられたものとなっている。この電子機器によれば、例えば入力部として、例えばユーザが指で触れるという操作を受けるタッチセンサ等を採用する場合に、上記のように突出した入力部が、その入力部を個別認識できる触感をユーザに与えることから操作性が良好であるので好適である。
【００１４】
また、本発明の一実施形態にかかる電子機器は、前記複数の入力部のそれぞれが、タッチセンサとなっており、例えば接触物が接触したことなどを検知する。尚、ここでいう接触物とは、タッチセンサに触れるユーザの指やタッチペン等の操作具を含んでいる。タッチセンサは、例えば押すという操作が必要な押ボタン等に比較して触れるという操作だけなので操作がより簡易であり、特に連続操作に適している。この電子機器は、入力部としてタッチセンサを採用することで操作性の向上が図られており好適である。
【００１５】
また、本発明の一実施形態にかかる電子機器は、前記複数の入力部は、所定距離を空けて配列された２つ以上の入力部を有するものとなっている。このように配列された２つ以上の入力部は、例えば、その配列方向に順番に指でなぞる等といった連続操作に適している。このように、この電子機器は、連続操作について操作性の向上が図られており好適である。
【００１６】
また、本発明の一実施形態にかかる電子機器は、前記所定距離が、２［ｃｍ］以内の距離となっている。前記所定距離を２［ｃｍ］以内に設定することで、少なくとも１つの入力部が操作された後、所定時間が経過しても他の入力部が操作されないという状況と、任意の入力部が操作された後、前記所定時間以内に他の入力部が操作されるように連続して操作がなされるという状況との差を設け易く好適である。
【００１７】
また、本発明の一実施形態にかかる電子機器は、前記複数の入力部が、その配列方向について、２０［ｃｍ］以内の範囲に配列されたものとなっている。複数の入力部の配列範囲を２０［ｃｍ］以内に設定することで、例えばユーザが指でなぞって連続操作を行うといった運用において操作し易いので好適である。
【実施例】
【００１８】
本発明の第１実施例にかかる電子機器としての鏡装置を、図１〜図９を参照して説明する。
【００１９】
図１は、本発明の第１実施例にかかる鏡装置を示す斜視図である。この鏡装置１は、ユーザによって持ち運び可能なポータブルの鏡装置であり、筐体１１と、鏡面１２１，１３１が並ぶように筐体１１に支持された三枚の鏡１２，１３と、を備えている。そして、三枚の鏡１２，１３のうち中央の鏡が筐体１１に対して移動しないように固定された固定鏡１２となっており、その両側の二枚の鏡が、固定鏡１２（隣の鏡）の鏡面１２１を見たときの平面視で、固定鏡１２に対して接離可能な可動鏡１３となっている。図１（ａ）には、可動鏡１３が固定鏡１２に接した状態が示され、図１（ｂ）には、可動鏡１３が固定鏡１２から離間した状態が示されている。
【００２０】
この鏡装置１は、例えば、ＬＥＤや有機ＥＬからなる照明装置１４を備えている。この照明装置１４は、固定鏡１２に可動鏡１３が接するとその可動鏡１３によって覆われる光放射領域１４１を有している。可動鏡１３が固定鏡１２から離間すると、この光放射領域１４１が露出する。
【００２１】
また、本実施例では、可動鏡１３が、固定鏡１２から離間するときにその鏡面１３１側が固定鏡１２に向かって傾くように構成されている。そして、可動鏡１３が固定鏡１２に接すると、３枚の鏡１２，１３が一面鏡を形成し、可動鏡１３が固定鏡１２から離間すると、３枚の鏡１２，１３が三面鏡を形成する。
【００２２】
尚、本実施例では、照明装置１４の光放射領域１４１は、固定鏡１２の、図１中で上方の位置については、可動鏡１３の位置に関わらず露出されている。そして、図１において固定鏡１２を左右に挟んだ位置について、可動鏡１３が固定鏡１２から離間すると光放射領域１４１が露出するようになっている。即ち、固定鏡１２の上方の位置の光放射領域１４１は、一面鏡が形成された状態でも、この鏡装置１３を使用する人や見る人（以下、「見る人」で記載する）を照らす。そして、可動鏡１３が離間した時に固定鏡１２の両側に露出する光放射領域１４１は、三面鏡が形成されたときに見る人を照らす。
【００２３】
三面鏡が形成されるときには、見る人に向かって迫り出した状態となる可動鏡１３が、その人の顔等に影を落とすことがある。三面鏡が形成されたときに露出する光放射領域１４１からの照明は、このような可動鏡１３による影を打ち消して、見る人に自然な印象を与える役割を果たす。
【００２４】
また、この鏡装置１は、ユーザによって操作される３つの入力部１５１，１５２，１５３と、処理を行う制御部１６と、後述の図２〜図５を参照して説明する可動鏡１３の駆動機構１７と、を備えている。
【００２５】
３つの入力部１５１，１５２，１５３は、各々がタッチセンサとなっており、筐体１１における、固定鏡１２の、図１中で下方の位置に、一列に配列されている。３つの入力部１５１，１５２，１５３のうち、図１中で最も左側の第１入力部１５１が、照明装置１４を点灯あるいは消灯させるための入力部となっている。照明装置１４が点灯しているときに第１入力部１５１が操作されると照明装置１４が消灯し、照明装置１４が消灯しているときに第１入力部１５１が操作されると照明装置１４が点灯する。
【００２６】
３つの入力部１５１，１５２，１５３のうち他の２つの入力部は、照明装置１４による照明色を変更するためのものとなっている。中央の第２入力部１５２が、照明色を、夜間の照明に適した暖色系の色に変更する入力部となっている。また、図１中で最も右側の第３入力部１５３が、照明色を、昼間の照明に適した白色系の色に変更する入力部となっている。照明色が白色系の色となっている状態で第２入力部１５２が操作されると、照明色が暖色系の色に変更される。また、照明色が暖色系の色となっている状態で第３入力部１５３が操作されると照明色が白色系の色に変更される。すなわち、照明色の色温度を第２入力部１５２、第３入力部１５３の操作により変更する。
【００２７】
また、本実施例では、第１入力部１５１から第３入力部１５３の操作の順序で矢印Ｄ１方向になぞるように連続して操作されると、可動鏡１３が固定鏡１２から離間して三面鏡が形成される。また、第３入力部１５３から第１入力部１５１の操作の順序で矢印Ｄ２方向になぞるように連続して操作されると、可動鏡１３が固定鏡１２に接して一面鏡が形成される。
【００２８】
このような３つの入力部１５１，１５２，１５３に対する操作に応じた各種処理は、筐体１１に内蔵された制御部１６によって実行される。３つの入力部１５１，１５２，１５３や制御部１６については、後で再度説明する。
【００２９】
制御部１６の制御の下で、可動鏡１３を駆動する駆動機構１７は、次のような構成となっている。尚、本実施例では、駆動機構１７は、２枚の可動鏡１３それぞれについて設けられている。
【００３０】
図２は、図１中の右側の可動鏡を例に挙げて可動鏡の駆動機構を示す図である。この図２には、右側の可動鏡１３の駆動機構１７が、筐体１１の側壁を取り除いて目視可能な状態で示されている。図２（ａ）には、可動鏡１３が固定鏡１２に接した状態が示され、図１（ｂ）には、可動鏡１３が固定鏡１２から離間した状態が示されている。
【００３１】
また、図３は、図２（ａ）に示されている駆動機構を図２（ａ）中の矢印Ｖ１方向から見た図であり、図４は、図２（ａ）に示されている駆動機構を図３中の矢印Ｖ２方向から見た図である。そして、図５は、図２（ｂ）に示されている駆動機構を図２（ｂ）中の矢印Ｖ２方向から見た図である。
【００３２】
駆動機構１７は、可動鏡１３において上記の３つの入力部１５１，１５２，１５３側となる下端縁１３２と、この下端縁１３２の反対側の上端縁１３３と、のそれぞれに沿って延在する一対のスライドフレーム１７１を備えている。これら一対のスライドフレーム１７１それぞれには、鏡装置１の厚み方向に所定の間隔を空けて、上記の下端縁１３２や上端縁１３３に沿って延びる、互いに平行な第１カム溝１７１ａと第２カム溝１７１ｂが設けられている。第１カム溝１７１ａは、鏡装置１の厚み方向の上段側で、第２カム溝１７１ｂよりも鏡装置１の側面寄りに位置し、この第２カム溝１７１ｂよりも短く形成されている。
【００３３】
そして、駆動機構１７では、可動鏡１３の下端縁１３２近傍や上端縁１３３近傍を支持するとともに、第１カム溝１７１ａ及び第２カム溝１７１ｂに沿ってスライド移動するスライドレール１７２が、一対のスライドフレーム１７１それぞれに支持されている。
【００３４】
各スライドレール１７２は、第１レール１７２ａと第２レール１７２ｂとを備えている。第１レール１７２ａは、その一端が可動鏡１３の裏面に固定されており、他端が、１つの第１カムシャフト１７３ａを介して第２レール１７２ｂの一端と矢印Ｄ３方向に回動可能に連結されている。この第１カムシャフト１７３ａは、スライドフレーム１７１における第１カム溝１７１ａにスライド自在に嵌め込まれている。第２レール１７２ｂには、２つの第２カムシャフト１７３ｂが取り付けられている。これら２つの第２カムシャフト１７３ｂは、スライドフレーム１７１における第２カム溝１７１ｂにスライド自在に嵌め込まれている。
【００３５】
また、第１レール１７２ａには、スライドフレーム１７１における第１カム溝１７１ａ及び第２カム溝１７１ｂに対して可動鏡１３側に傾斜した、第３カム溝１７２ａ−１及び第４カム溝１７２ａ−２が設けられている。鏡装置１の厚み方向において、第３カム溝１７２ａ−１は、第４カム溝１７２ａ−２の上段側に配置され、また、第４カム溝１７２ａ−２よりも傾斜が緩めに形成されている。そして、スライドフレーム１７１に、第３カム溝１７２ａ−１にスライド自在に嵌め込まれる第３カムシャフト１７３ｃと、第４カム溝１７２ａ−２にスライド自在に嵌め込まれる第４カムシャフト１７３ｄと、が取り付けられている。
【００３６】
このようなスライドレール１７２が矢印Ｄ４方向に移動するときには、第２レール１７２ｂは、第１カムシャフト１７３ａが第１カム溝１７１ａ内をスライド移動し、第２カムシャフト１７３ｂが第２カム溝１７１ｂ内をスライド移動することで、矢印Ｄ４方向にスライド移動する。他方、第１レール１７２ａは、第１カムシャフト１７３ａのスライド移動に伴って矢印Ｄ４方向にスライド移動する。このとき、スライドフレーム１７１の第３カムシャフト１７３ｃ及び第４カムシャフト１７３ｄが、第１レール１７２ａに傾斜して設けられた第３カム溝１７２ａ−１及び第４カム溝１７２ａ−２の内部をスライド移動することで、第１レール１７２ａは、第１カムシャフト１７３ａを中心に回動して上方に迫り出す。
【００３７】
第１レール１７２ａの矢印Ｄ４方向のスライド移動と迫り出しにより、図２（ｂ）に示されているように、可動鏡１３が、固定鏡１２から離間するとともに、固定鏡１２側の側端縁をなす端部１３４を回転軸として回動して固定鏡１２に向かって傾く。このとき、本実施例では、可動鏡１３における固定鏡１２側の端部１３４は、固定鏡１２の鏡面１２１と交差する方向（図２における矢印ＣＤ１方向）において、固定鏡１２における可動鏡１３側の側端縁をなす端部１２２と同じ位置にある。このように可動鏡１３が移動することで、それまで可動鏡１３に覆われていた照明装置１４の光放射領域１４１が露出する。
【００３８】
スライドレール１７２が逆方向の矢印Ｄ５方向に移動するときには、第１レール１７２ａが、第１カムシャフト１７３ａを中心に逆向きに回動して下方に戻りつつ、第２レール１７２ｂとともに矢印Ｄ５方向にスライド移動する。第１レール１７２ａの矢印Ｄ５方向のスライド移動と下方への戻りにより、図２（ａ）に示されているように、可動鏡１３が逆向きに回動しつつ固定鏡１２に接する。これにより、露出していた光放射領域１４１が可動鏡１３によって覆われる。
【００３９】
このようなスライドレール１７２の移動は、駆動機構１７に備えられるモータ１７４によって行われる。スライドレール１７２における第２レール１７２ｂには、上記の矢印Ｄ４，Ｄ５方向に沿って延在するラックギア１７５が固定されている。本実施例では、一対のスライドレール１７２のうち、３つの入力部１５１，１５２，１５３側のスライドレール１７２におけるラックギア１７５に、モータ１７４からの回転駆動力が伝わる。回転駆動力は、モータ１７４に接続されている減速ギア１７６及びピニオンギア１７７を介して、上記のラックギア１７５に伝わる。さらに、このラックギア１７５には、一対のスライドレール１７２の間に延びる連絡シャフト１７８の一端に設けられた連絡用ピニオンギア１７８ａが噛み合っている。そして、３つの入力部１５１，１５２，１５３とは反対側のスライドレール１７２におけるラックギア１７５に、連絡シャフト１７８の他端に設けられた連絡用ピニオンギア１７８ｂが噛み合っている。
【００４０】
モータ１７４が回転駆動力を発すると、上記の機構を介して一対のスライドレール１７２のそれぞれにその回転駆動力が伝わって、それら一対のスライドレール１７２が互いに同期して移動することとなる。
【００４１】
また、本実施例では、３つの入力部１５１，１５２，１５３側のスライドフレーム１７１に、移動中のスライドレール１７２の位置を検出するための位置センサ１７９ａが固定されている。この位置センサ１７９ａは、スライドフレーム１７１に設けられた第２カム溝１７１ｂ越しに、第２レール１７２ｂの位置を検出する。
【００４２】
さらに、本実施例では、図４に示されているように、３つの入力部１５１，１５２，１５３側のスライドフレーム１７１に、開き検知センサ１７９ｂと、閉じ検知センサ１７９ｃとが設けられている。開き検知センサ１７９ｂは、可動鏡１３の固定鏡１２からの離間と可動鏡１３の回動による迫り出しとが完了したことを検知する。閉じ検知センサ１７９ｃは、逆に、可動鏡１３の回動による戻りが完了したことと可動鏡１３が固定鏡１２へ接触したことを検知する。
【００４３】
可動鏡１３の離間と可動鏡１３の回動による迫り出しの最中には、スライドレール１７２とともにラックギア１７５が矢印Ｄ４方向に移動する。そして、その迫り出しが完了した段階で、ラックギア１７５における、その矢印Ｄ４方向の端部が所定位置に達する。開き検知センサ１７９ｂは、その位置に達したラックギア１７５の端部の下方側となる位置に配置されている。開き検知センサ１７９ｂは、このラックギア１７５の端部が、開き検知センサ１７９ｂの上方に達することをもって、可動鏡１３の離間と可動鏡１３の回動を伴う迫り出しの完了を検知する。
【００４４】
可動鏡１３と固定鏡１２とが接触するまでの可動鏡１３の回動を伴う戻りの最中には、スライドレール１７２とともにラックギア１７５が矢印Ｄ５方向に移動する。そして、可動鏡１３と固定鏡１２とが接触した段階で、ラックギア１７５における、その矢印Ｄ５方向の端部が所定位置に達する。閉じ検知センサ１７９ｃは、その位置に達したラックギア１７５の端部の下方側となる位置に配置されている。閉じ検知センサ１７９ｃは、このラックギア１７５の端部が、閉じ検知センサ１７９ｃの上方に達することをもって、可動鏡１３の回動を伴う戻りが完了したことと可動鏡１３が固定鏡１２に接触したことを検知する。
【００４５】
上述したように、本実施例では、図１に示されている制御部１６による制御の下、３つの入力部１５１，１５２，１５３が、矢印Ｄ１方向になぞるように連続して操作されると可動鏡１３が固定鏡１２から離間して三面鏡が形成される。即ち、このような操作が行われると、制御部１６が、スライドレール１７２を矢印Ｄ４方向に移動させるためのモータ１７４の駆動（回転）を開始させる。そして、上記の開き検知センサ１７９ｂにおいて、ラックギア１７５における矢印Ｄ４方向における端部が上方に達したことが検知されると、制御部１６が、モータ１７４の駆動を停止させる。
【００４６】
また、３つの入力部１５１，１５２，１５３が、矢印Ｄ２方向になぞるように連続して操作されると可動鏡１３が固定鏡１２に接して一面鏡が形成される。即ち、このような操作が行われると、制御部１６が、スライドレール１７２を矢印Ｄ５方向に移動させるためのモータ１７４の駆動（回転）を開始させる。そして、閉じ検知センサ１７９ｃにおいて、ラックギア１７５における矢印Ｄ５方向における端部が上方に達したことが検知されると、制御部１６が、モータ１７４の駆動（回転）を停止させる。
【００４７】
このように、３つの入力部１５１，１５２，１５３に対する連続操作をトリガとして、本実施例では、制御部１６の制御の下、駆動機構１７が、可動鏡１３の移動を自動的に実行する。
【００４８】
以上に説明した駆動機構１７と筐体１１における鏡面側の上面１１ａとの間には、例えば有機ＥＬからなるシート状の照明装置１４を支持する照明用シャーシ１１１が配置されている。そして、この照明用シャーシ１１１に、照明装置１４が、一面鏡が形成されるときには可動鏡１３に光放射領域１４１が覆われるように支持されている。上記のように可動鏡１３が固定鏡１２から離間しつつ回動することで三面鏡が形成されるときに、この光放射領域１４１が露出する。
【００４９】
また、本実施例では、図１（ｂ）や図２（ｂ）に示されているように、固定鏡１２から離間した可動鏡１３における固定鏡１２側の端部１３４は、固定鏡１２に対する接離方向において、光放射領域１４１の端部１４１ａより固定鏡１２側に位置する。
【００５０】
ここで、本実施例では、上記のように可動鏡１３を移動させるために操作される３つの入力部１５１，１５２，１５３が、次のように構成されている。
【００５１】
図６は、図１に示されている３つの入力部を示す模式図である。図６（ａ）には、鏡装置１における３つの入力部１５１，１５２，１５３の周辺部の模式的な斜視図が示されている。また、図６（ｂ）には、３つの入力部１５１，１５２，１５３の周辺部の模式的な断面図が示されている。
【００５２】
筐体１１は複数の面から構成されている。これら複数の面には、上面１１ａが含まれる。筐体１１の上面１１ａには、擂鉢状の３つの孔１１ｂが設けられている。そして、これら３つの孔１１ｂを貫通して、３つの入力部１５１，１５２，１５３が嵌め込まれている。このとき、各入力部１５１，１５２，１５３は、その端部が、上面１１ａから突出するように筐体１１に支持されている。
【００５３】
上述したように、本実施例では、３つの入力部１５１，１５２，１５３は、各々がタッチセンサとなっており、具体的には、人の指で触れられたときの静電容量変化を検知する静電タッチセンサとなっている。また、３つの入力部１５１，１５２，１５３は、所定距離ｄ１を空けて等間隔に配列されており、本実施例では、この距離ｄ１が、２［ｃｍ］以内の距離に設定されている。また、３つの入力部１５１，１５２，１５３は、その配列方向について、２０［ｃｍ］以内の範囲に配列されている。具体的には、第１入力部１５１が嵌め込まれた擂鉢状の孔１１ｂの図中左端から、第３入力部１５３が嵌め込まれた擂鉢状の孔１１ｂの図中右端までの距離ｄ２が、２０［ｃｍ］以内に設定されている。
【００５４】
また、各入力部１５１，１５２，１５３の端部が上面１１ａから突出していることで、ユーザが指で各入力部１５１，１５２，１５３に触れたときに各入力部１５１，１５２，１５３を個別認識できる触感をユーザに与えることとなっている。
【００５５】
これら３つの入力部１５１，１５２，１５３には、上述したように、照明装置１４の点灯／消灯処理、及び照明色の変更処理を含む３つの処理それぞれが対応付けられている。そして、３つの入力部１５１，１５２，１５３の全てをなぞるように連続して操作されると、可動鏡１３が固定鏡１２に対して接離される。
【００５６】
また、本実施例では、３つの入力部１５１，１５２，１５３は、連続操作の際にこれら３つの入力部１５１，１５２，１５３の全てをなぞる指の軌跡に直線をあてることができるように上記の矢印Ｄ１，Ｄ２に沿って直線状に配列されている。
【００５７】
本実施例では、３つの入力部１５１，１５２，１５３の全てと、それら３つの入力部１５１，１５２，１５３に対する連続操作における操作の順序との、操作の順序が互いに異なる２つの組合せによる操作が可能となっている。即ち、３つの入力部１５１，１５２，１５３の全てを、第１入力部１５１から第３入力部１５３へと矢印Ｄ１方向になぞるという組合せと、３つの入力部１５１，１５２，１５３の全てを、第３入力部１５３から第１入力部１５１へと矢印Ｄ２方向になぞるという組合せと、の２つの組合せによる操作が可能となっている。
【００５８】
そして、可動鏡１３を固定鏡１２から離間させる移動処理と、可動鏡１３を固定鏡１２に接触させる移動処理と、の２つの処理に、上記の２つの組合せが一対一に対応付けられている。可動鏡１３を固定鏡１２から離間させる移動処理には、３つの入力部１５１，１５２，１５３の全てを、第１入力部１５１から第３入力部１５３へと矢印Ｄ１方向になぞるという組合せが対応付けられている。また、可動鏡１３を固定鏡１２に接触させる移動処理には、３つの入力部１５１，１５２，１５３の全てを、第３入力部１５３から第１入力部１５１へと矢印Ｄ２方向になぞるという組合せが対応付けられている。このような対応付けは、図１に示されている制御部１６においてなされている。
【００５９】
ここで、制御部１６では、３つの入力部１５１，１５２，１５３が連続して操作されたか、個別に操作されたか、次のように識別される。
【００６０】
図７は、３つの入力部が連続して操作されるときの状況を模式的に示す図であり、図８は、３つの入力部のうちの任意の入力部が個別に操作されるときの状況を模式的に示す図である。図７（ａ）には、ユーザが３つの入力部１５１，１５２，１５３を、指で矢印Ｄ１方向になぞるように連続して操作する様子が示されている。また、図７（ｂ）には、このように操作されたときに、各入力部１５１，１５２，１５３が発するセンサ信号が示されている。そして、図８（ａ）には、ユーザが第１入力部１５１と第２入力部１５２とを、指で個別に触れて操作する様子が示されている。また、図８（ｂ）には、このように操作されたときに、２つの入力部１５１，１５２が発するセンサ信号が示されている。
【００６１】
これらの図７及び図８に示されているように、３つの入力部１５１，１５２，１５３それぞれは、指で触れられると所定のパルス幅を有するセンサ信号を発信する。制御部１６は、１つの入力部からセンサ信号が発せられてから所定時間ｔ［ｍｓ］が経過しても他の入力部からセンサ信号が発せられない場合に、その入力部が個別に操作されたと認識する。
【００６２】
図８の例では、第１入力部１５１から第１センサ信号Ｓ１が発せられてから所定時間ｔ［ｍｓ］が経過しても他の入力部からセンサ信号が発せられていないので、制御部１６は、第１入力部１５１が個別に操作されたと認識する。このときには、制御部１６は、照明装置１４に対し点灯／消灯を指示する。また、所定時間ｔ［ｍｓ］を過ぎて第２入力部１５２から第２センサ信号Ｓ２が発せられているが、その後、どの入力部からもセンサ信号が発せられていないので、制御部１６は、第１入力部１５１に続いて第２入力部１５２が個別に操作されたと認識する。このときには、制御部１６は、照明装置１４に対し、照明色を夜間に適した暖色系の照明色に切り換えるように指示する。
【００６３】
一方、任意の入力部からセンサ信号が発せられてから所定時間ｔ［ｍｓ］以内に他の入力部からのセンサ信号が続くように、３つの入力部１５１，１５２，１５３から連続して３つのセンサ信号Ｓ１、Ｓ２，Ｓ３が発せられた場合、制御部１６は、それら３つの入力部１５１，１５２，１５３が連続して操作されたと認識する。このとき、３つのセンサ信号Ｓ１、Ｓ２，Ｓ３の発信順に基づいて、制御部１６は、３つの入力部１５１，１５２，１５３に対する操作の順序を認識する。
【００６４】
図７の例では、第１センサ信号Ｓ１から第３センサ信号Ｓ３の順で連続して３つのセンサ信号Ｓ１、Ｓ２，Ｓ３が発せられているので、制御部１６は、３つの入力部１５１，１５２，１５３が、第１入力部１５１から第３入力部１５３に至る矢印Ｄ１方向の操作の順序で連続して操作されたと認識する。このときには、制御部１６は、上述した駆動機構１７において、可動鏡１３を固定鏡１２から離間させるためのモータ１７４の駆動（回転）を開始させる。そして、上述したように、開き検知センサ１７９ｂにおいて、ラックギア１７５における矢印Ｄ４方向の端部が上方に達したことが検知されると、制御部１６は、モータ１７４の駆動（回転）を停止させる。
【００６５】
ここで、本実施例では、３つの入力部１５１，１５２，１５３それぞれの大きさと、図６（ｂ）に示されている相互間の距離ｄ１との関係が次のようになっている。
【００６６】
図９は、図１及び図６に示されている３つの入力部それぞれの大きさと、相互間の距離との関係を、別例とともに示す模式図である。図９（ａ）には、本実施例における３つの入力部１５１，１５２，１５３それぞれの大きさと、相互間の距離ｄ１との関係が示されている。また、図９（ｂ）には、本実施例とは異なる別例の関係が示されている。
【００６７】
図９（ａ）に示されているように、本実施例では、３つの入力部１５１，１５２，１５３それぞれの大きさ（即ち、配列方向の幅Ｗ１）よりも、相互間の距離ｄ１（本実施例では２［ｃｍ］以内）が大きくなるように設定されている。そして、この関係は、本実施例とは逆に、図９（ｂ）に別例として示されているように、３つの入力部１５１ａ，１５２ａ，１５３ａそれぞれの大きさ（即ち、配列方向の幅Ｗ２）よりも、相互間の距離ｄ３が小さくなるように設定されてもよい。
【００６８】
尚、３つの入力部１５１，１５２，１５３，１５１ａ，１５２ａ，１５３ａの相互間の距離ｄ１，ｄ３と、上記の所定時間ｔ［ｍｓ］とは、ユーザが、３つの入力部１５１，１５２，１５３，１５１ａ，１５２ａ，１５３ａを連続操作したときと、全ての入力部１５１，１５２，１５３，１５１ａ，１５２ａ，１５３ａを連続操作のときと同じ順番で個別に操作したときとで、制御部１６の認識に差が生じるように設定される。距離ｄ１，ｄ３をあまり長く設定しすぎると、制御部１６の認識に差を生じさせるために上記の所定時間ｔ［ｍｓ］を長時間に設定する必要が出て来る。しかし、あまり長時間に設定しすぎると、今度は、ユーザが、個別に操作する際に意識的に間を置かなくてはいけなくなり、ユーザにとっては使い難くなりがちである。
【００６９】
本実施例において、距離ｄ１の上限値として設定されている２［ｃｍ］という値は、図９（ａ）に示されている大小関係において、上記の所定時間ｔ［ｍｓ］を、ユーザにとって使い難さを感じさせない程度に短く設定できる距離となっている。所定時間ｔ［ｍｓ］は、ここでは特定しないが、距離ｄ１を２［ｃｍ］に設定したときに、連続操作と個別操作とで、制御部１６の認識に差が生じる値に設定される。このような事情は、図９（ｂ）に示されている別例においても同様である。
【００７０】
また、本実施例における２０［ｃｍ］以内という３つの入力部１５１，１５２，１５３の配列範囲は、ユーザが指でなぞって連続操作を行う際に、広過ぎずに操作し易い範囲となっている。
【００７１】
次に、本発明の第２実施例にかかる電子機器としての鏡装置を、図１０を参照して説明する。尚、この第２実施例の鏡装置は、上述した第１実施例の鏡装置１が、ユーザによって持ち運ばれるポータブルの鏡装置であったのに対し、据置タイプの鏡装置となっている。一方で、鏡や照明装置や駆動機構を含む基本構成は、第１実施例の鏡装置１と同等なものとなっている。そこで、以下では、第２実施例にかかる鏡装置について、第１実施例の鏡装置１との相違点に注目して説明する。
【００７２】
図１０は、本発明の第２実施例にかかる鏡装置を示す図である。尚、この図１０では、図１に示されている第１実施例の鏡装置１の構成要素と同等な構成要素については、図１と同じ符号が付されており、以下では、それら同等な構成要素については重複説明を割愛する。
【００７３】
本実施例の鏡装置２は、その筐体２１が、洗面台２２や収納棚２３と一体に構成された据置タイプの鏡装置である。この鏡装置２でも、３つの入力部１５１，１５２，１５３に対する２つの連続操作により、固定鏡１２に対して可動鏡１３が接離するように構成されている。図１０（ａ）には、可動鏡１３が固定鏡１２に接した状態が示され、図１０（ｂ）には、可動鏡１３が固定鏡１２から離間した状態が示されている。この可動鏡１３の離間により、照明装置１４の光放射領域１４１が露出する。
【００７４】
本実施例の鏡装置２では、鏡を見る人を上方から照らすための第２の照明装置２４が、３枚の鏡１２，１３の上方に、やや下向き下限となるように配置されている。この第２の照明装置２４は、人の顔の凹凸に起因する明暗を打ち消して、見る人に自然な印象を与える役割を果たす。
【００７５】
次に、本発明の第３実施例にかかる電子機器を、図１１を参照して説明する。第３実施例にかかる電子機器は、上述した第１実施例及び第２実施例にかかる電子機器とは異なり、カーナビゲーション装置となっている。
【００７６】
図１１は、本発明の第３実施例にかかる電子機器としてのカーナビゲーション装置を示す模式図である。このカーナビゲーション装置３は、地図情報等を表示する表示装置３１と、６つの入力部３２１，３２２が設けられたハンドル３２とを備えている。６つの入力部３２１，３２２は、上述した第１実施例及び第２実施例と同様にタッチセンサとなっている。
【００７７】
６つの入力部３２１，３２２には、表示装置３１のオン／オフ処理、各種メニューの選択処理が一対一に対応付けられている。各入力部３２１，３２２が個別に操作されたときには、その入力部３２１，３２２に対応したオン／オフ処理等が、表示装置３１に内蔵された制御部３１１によって実行される。
【００７８】
そして、これら６つの入力部３２１，３２２のうち、ハンドル３２の横バー３２ａに配列された３つの入力部３２１には、表示装置３１に表示されている地図情報を左右方向Ｄ６に移動させる横移動処理が対応付けられている。また、ハンドル３２の縦バー３２ｂに配列された３つの入力部３２２には、表示装置３１に表示されている地図情報を縦方向Ｄ７に移動させる縦移動処理が対応付けられている。
【００７９】
本実施例では、横バー３２ａの３つの入力部３２１が、ユーザの指で横操作方向Ｄ８になぞられて連続操作されると、制御部３１１によって、その操作の向き（即ち、右向きあるいは左向き）に地図情報を所定距離分移動させる移動処理が実行される。また、縦バー３２ｂの３つの入力部３２２が、ユーザの指で縦操作方向Ｄ９になぞられて連続操作されると、制御部３１１によって、その操作の向き（即ち、上向きあるいは下向き）に地図情報を所定距離分移動させる移動処理が実行される。
【００８０】
尚、本実施例において、制御部３１１が、個別操作と連続操作とを識別する手法や、各入力部３２１，３２２の構造等については、上述した第１実施例及び第２実施例における識別手法や構造等と同等であるので、ここでは説明を割愛する。
【００８１】
以上に説明した第１実施例の鏡装置１、第２実施例の鏡装置２、及び第３実施例のカーナビゲーション装置３といった電子機器によれば、個々の入力部１５１，１５２，１５３，３２１，３２２への操作に応じた処理が行われるだけでなく、全入力部１５１，１５２，１５３（第１実施例及び第２実施例）あるいは一部の入力部３２１，３２２（第３実施例）への連続した操作に応じた処理も行われることとなっている。このように、各実施例の電子機器は、入力部１５１，１５２，１５３，３２１，３２２への操作に応じた処理の多様性が増したものとなっている。また、連続操作については、その操作に応じて実行される処理が、入力部１５１，１５２，１５３，３２１，３２２及び操作の順序の組合せに対応している。即ち、各電子機器では、操作の順序というユーザの体感を伴った連続操作に、制御部１６での処理が対応付けられている。このように体感を伴った操作は記憶に残り易く、その結果として、操作に応じた処理をユーザが直感的に連想し易くなっている。このように、各電子機器は、自分の操作に応じた処理をユーザが直感的に連想し易く、ユーザにとっての使い易さが増したものとなっている。
【００８２】
また、第１実施例の鏡装置１及び第２実施例の鏡装置２は、可動鏡１３を移動させる移動処理に、入力部１５１，１５２，１５３と操作の順序との組合せが一対一に対応付けられたものとなっている。これらの鏡装置１、２は、入力部１５１，１５２，１５３への連続操作という比較的に動きの大きい動作に、可動鏡１３を移動させる移動処理が対応付けられているので、操作と処理との関連性をユーザが一層直感的に連想し易く好適である。
【００８３】
同様に、第３実施例のカーナビゲーション装置３においても、入力部３２１，３２２への連続操作という比較的に動きの大きい動作に、地図情報を移動させる移動処理が対応付けられているので、操作と処理との関連性をユーザが一層直感的に連想し易く好適である。
【００８４】
また、第１実施例の鏡装置１及び第２実施例の鏡装置２は、操作の順序が異なる２つの連続操作に、２つの方向それぞれに可動鏡１３を移動させる２つの移動処理が対応付けられている。即ち、これらの鏡装置１，２では、入力部１５１，１５２，１５３の操作の順序という、可動鏡１３の移動方向を連想させ易い動作が、可動鏡１３をその方向に移動させる移動処理に対応付けられている。このように、これらの鏡装置１，２は、可動鏡１３の移動処理について、操作と処理との関連性をユーザが一層直感的に連想し易く好適である。
【００８５】
同様に、第３実施例のカーナビゲーション装置３においても、入力部３２１，３２２の操作の順序という、地図情報の移動方向を連想させ易い動作が、地図情報をその方向に移動させる移動処理に対応付けられているので好適である。
【００８６】
また、第１実施例の鏡装置１及び第２実施例の鏡装置２は、照明装置１４の点灯／消灯処理、及び照明色の変更処理を含む３つの処理それぞれに、３つの入力部１５１，１５２，１５３それぞれが対応付けられたものとなっている。照明装置１４の点灯／消灯処理、及び照明色の変更処理という、構造物の移動を伴わず、上述した連続操作とは結び付き難い処理が、１つの入力部１５１，１５２，１５３に対応付けられている。このように、これらの鏡装置１，２は、操作と処理との対応について適正化が図られているので好適である。
【００８７】
同様に、第３実施例のカーナビゲーション装置３においても、表示装置３１のオン／オフ処理、各種メニューの選択処理といった、連続操作とは結び付き難い処理が、６つの入力部３２１，３２２に個別に対応付けられたものとなっているので好適である。
【００８８】
また、第１実施例の鏡装置１、第２実施例の鏡装置２、及び第３実施例のカーナビゲーション装置３といった電子機器は、何れも、複数の入力部１５１，１５２，１５３，３２１，３２２のそれぞれが、筐体１１やハンドル３１の一面から突出して設けられたものとなっている。これらの電子機器によれば、上記のように突出した入力部１５１，１５２，１５３，３２１，３２２が、各入力部１５１，１５２，１５３，３２１，３２２を個別認識できる触感をユーザに与えることから操作性が良好であるので好適である。
【００８９】
また、第１実施例の鏡装置１、第２実施例の鏡装置２、及び第３実施例のカーナビゲーション装置３といった電子機器は、何れも、複数の入力部１５１，１５２，１５３，３２１，３２２のそれぞれがタッチセンサとなっている。タッチセンサは、例えば押ボタン等に比較して操作抵抗が小さく、特に連続操作に適している。これらの電子機器は、入力部としてタッチセンサを採用することで操作性の向上が図られており好適である。
【００９０】
また、第１実施例の鏡装置１、第２実施例の鏡装置２、及び第３実施例のカーナビゲーション装置３といった電子機器は、何れも、複数の入力部１５１，１５２，１５３，３２１，３２２は、所定距離を空けて配列された３つ以上の入力部を有するものとなっている。このように配列された３つ以上の入力部は、例えば、その配列方向に順番に指でなぞる等といった連続操作に適している。このように、これらの電子機器は、連続操作について操作性の向上が図られており好適である。
【００９１】
また、第１実施例の鏡装置１、第２実施例の鏡装置２、及び第３実施例のカーナビゲーション装置３といった電子機器は、何れも、上記の所定距離が、２［ｃｍ］以内の距離となっている。その所定距離を２［ｃｍ］以内に設定することで、少なくとも１つの入力部が操作された後、所定時間が経過しても他の入力部が操作されないという状況と、任意の入力部が操作された後、所定時間以内に他の入力部が操作されるように連続して操作がなされるという状況との差を設け易く好適である。
【００９２】
また、第１実施例の鏡装置１及び第２実施例の鏡装置２、及び第３実施例のカーナビゲーション装置３といった電子機器は、何れも、複数の入力部１５１，１５２，１５３，３２１，３２２が、その配列方向について、２０［ｃｍ］以内の範囲に配列されたものとなっている。複数の入力部１５１，１５２，１５３，３２１，３２２の配列範囲を２０［ｃｍ］以内に設定することで、ユーザが指でなぞって連続操作を行うといった運用において操作し易いので好適である。
【００９３】
尚、前述した第１実施例、第２実施例、及び第３実施例は本発明の代表的な形態を示したに過ぎず、本発明は、これらの実施例に限定されるものではない。即ち、本発明の骨子を逸脱しない範囲で種々変形して実施することができる。かかる変形によってもなお本発明の電子機器の構成を具備する限り、勿論、本発明の範疇に含まれるものである。
【００９４】
例えば、第１実施例及び第２実施例では、本発明にいう複数の入力部の一例として、一列に配列された３つの入力部１５１，１５２，１５３が例示され、第３実施例では、横一列に配列された３つの入力部３２１と縦一列に配列された３つの入力部３２２とからなる６つの入力部３２１，３２２が例示されている。しかしながら、本発明にいう複数の入力部は、これらに限るものではなく、「任意の入力部が操作されてから所定時間以内に他の入力部が操作されるように連続して操作」されるという連続操作が可能であれば、その具体的な数や配列形態を問うものではない。
【００９５】
また、第１実施例や第２実施例では、本発明にいう「複数の入力部のうち少なくとも１つの入力部が操作されてから所定時間が経過しても他の入力部が操作されない」個別操作の一例として、３つの入力部１５１，１５２，１５３それぞれに対する操作が例示されている。また、第３実施例では、個別操作の一例として、６つの入力部３２１，３２２それぞれに対する操作が例示されている。
【００９６】
しかしながら、本発明にいう「複数の入力部のうち少なくとも１つの入力部が操作されてから所定時間が経過しても他の入力部が操作されない」という個別操作はこれらに限るものではない。この個別操作は、例えば、複数の入力部のうち２つ以上の入力部が同時に操作されてから所定時間が経過しても他の入力部が操作されないというものであってもよく、あるいは、複数の入力部の全てが同時に操作されてから所定時間が経過しても他の入力部が操作されないというもの等であってもよい。
【００９７】
また、第１実施例や第２実施例では、上記の個別操作を受ける入力部１５１，１５２，１５３に対応付けられる処理として、照明装置１４の点灯／消灯処理、及び照明色の変更処理を含む３つの処理が例示されている。しかしながら、個別操作を受ける入力部に対応付けられる複数の処理は、これに限るものではなく、例えば、照明装置１４の光量変更処理を含んだもの等であってもよい。
【００９８】
また、第１実施例や第２実施例では、本発明にいう「任意の入力部が操作されてから前記所定時間以内に他の入力部が操作されるように連続して操作」される連続操作の一例として、全ての入力部１５１，１５２，１５３が連続操作される鏡装置１，２が例示されている。そして、第３実施例では、連続操作の一例として、６つの入力部３２１，３２２のうち横方向又は縦方向の３つの入力部が連続操作されるカーナビゲーション装置３が例示されている。
【００９９】
しかしながら、本発明にいう「任意の入力部が操作されてから前記所定時間以内に他の入力部が操作されるように連続して操作」される連続操作は、これらに限るものではない。この連続操作は、複数の入力部が、２つの入力部ごと連続して操作されるものであってもよく、あるいは、４つ以上の入力部ごとに連続して操作されるものであってもよく、連続操作の対象となる入力部の数を問うものではない。
【０１００】
また、第１実施例、第２実施例、及び第３実施例では、上記の連続操作の一例として、何れも、複数の入力部１５１，１５２，１５３，３２１，３２２が、その配列順に操作される形態が例示されている。しかしながら、上記の連続操作は、これに限るものではなく、「任意の入力部が操作されてから前記所定時間以内に他の入力部が操作されるように連続して操作」される連続操作であれば、その操作の順序はランダムなものであってもよい。
【０１０１】
また、例えば、第１実施例、第２実施例、及び第３実施例では、本発明にいう複数の入力部の一例として、設置場所から突出して設けられてユーザに触感を与える入力部１５１，１５２，１５３，３２１，３２２が例示されている。しかしながら、本発明にいう複数の入力部は、例えば設置場所から窪んだ凹状に設けられてユーザに触感を与えるものであってもよく、あるいは、凹凸は設けられておらず例えば特表２００８−５１６３８４号公報に記載されているようにアクチュエータを利用して振動等によってユーザに触感を与えるもの等であってもよい。
【符号の説明】
【０１０２】
１，２  鏡装置
３      カーナビゲーション装置
１１，２１    筐体
１１ａ  上面（筐体の一面の一例）
１１ｂ  孔
１２    固定鏡
１３    可動鏡
１４    照明装置
１６，３１１    制御部
１７    駆動機構
２２    洗面台
２３    収納棚
２４    第２の照明装置
３１    表示装置
３２    ハンドル
３２ａ  横バー
３２ｂ  縦バー
１２１，１３１    鏡面
１２２，１３４，１４１ａ  端部
１３２  下端縁
１３３  上端縁
１４１  発光領域
１５１，１５１ａ  第１入力部
１５２，１５２ａ  第２入力部
１５３，１５３ａ  第３入力部
１７１  スライドフレーム
１７１ａ  第１カム溝
１７１ｂ  第２カム溝
１７２  スライドレール
１７２ａ  第１レール
１７２ａ−１  第３カム溝
１７２ａ−２  第４カム溝
１７２ｂ  第２レール
１７３ａ  第１カムシャフト
１７３ｂ  第２カムシャフト
１７３ｃ  第３カムシャフト
１７３ｄ  第４カムシャフト
１７４    モータ
１７５    ラックギア
１７６    減速ギア
１７７，１７８ａ，１７８ｂ    ピニオンギア
１７８    連絡シャフト
１７８ａ，１７８ｂ    連絡用ピニオンギア
１７９ａ  位置センサ
１７９ｂ  開き検知センサ
１７９ｃ  閉じ検知センサ
３２１，３２２  入力部
【図１】
2016170591.tif 000003
【図２】
2016170591.tif 000004
【図３】
2016170591.tif 000005
【図４】
2016170591.tif 000006
【図５】
2016170591.tif 000007
【図６】
2016170591.tif 000008
【図７】
2016170591.tif 000009
【図８】
2016170591.tif 000010
【図９】
2016170591.tif 000011
【図１０】
2016170591.tif 000012
【図１１】
2016170591.tif 000013